(57)【要約】      （修正有）【課題】蓋の開閉に応じて昇降板が昇降するとともに、蓋が開けられた際に昇降板の位置を維持しつつ当該蓋を収納可能とするテーブルを提供する。【解決手段】テーブル１００は、回動式の蓋１１０と、蓋が開けられることに応じて昇降板１２０を上昇させ、蓋が閉じられることに応じて当該昇降板を下降させる昇降手段と、蓋が閉じられた状態で蓋と昇降板との間に形成される収納部と、蓋が開けられた状態で昇降板の位置を維持しつつ、当該蓋の全部もしくは一部が当該テーブルの天板位置よりも下方に収納する蓋収納手段と、を備える。【選択図】図８
2016221138.tif 000002
【特許請求の範囲】
【請求項１】
回動式の蓋と、
前記蓋が開けられることに応じて昇降板を上昇させ、前記蓋が閉じられることに応じて当該昇降板を下降させる昇降手段と、
前記蓋が閉じられた状態で前記蓋と前記昇降板との間に形成される収納部と、
前記蓋が開けられた状態で前記昇降板の位置を維持しつつ、当該蓋の全部もしくは一部が当該テーブルの天板位置よりも下方に収納される蓋収納手段と、
を備える、テーブル。
【請求項２】
前記蓋収納手段は、前記蓋が開けられた状態から当該蓋を略鉛直方向にスライド移動可能とすることを特徴とする、請求項１に記載のテーブル。
【請求項３】
前記蓋収納手段は、前記蓋に連結され、略鉛直方向に配置されたガイドレールに沿ってスライド可能なガイド手段を含むことを特徴とする、請求項２に記載のテーブル。
【請求項４】
前記昇降手段は、
前記昇降板を支持する支持部材と、
前記蓋が開閉されることに応じて前記昇降板を昇降させるように、前記蓋と前記支持部材とを連結する連結部材と、を含み、
前記連結部材は、一端が前記支持部材における支点で回動可能に固定され、他端が前記蓋に沿って摺動可能であることを特徴とする、請求項１乃至請求項３のいずれかに記載のテーブル。
【請求項５】
前記昇降手段は、前記蓋が開けられた状態では前記昇降板の下降を抑止することを特徴とする、請求項１乃至請求項４のいずれかに記載のテーブル。
【請求項６】
前記ガイド手段に略鉛直上向きに所定の荷重を掛ける定荷重バネを、さらに備えることを特徴とする、請求項３に記載のテーブル。
【請求項７】
前記蓋が略鉛直下方にスライド移動した後、当該位置を保持するために、前記ガイド手段と当該テーブルとを連結するプッシュラッチを、さらに備えることを特徴とする、請求項３に記載のテーブル。
【請求項８】
前記昇降手段は、前記昇降板と略平行に配置された基台を含み、
前記支持部材は、一端が前記昇降板および前記基台のいずれか一方における支点で回転可能に固定され、他端が他方に沿って摺動可能であり、
前記蓋が開けられることに応じて、前記支持部材は起立するように連動することを特徴とする、請求項４に記載のテーブル。
【請求項９】
前記連結部材は、前記蓋が開閉されることに応じて、前記支持部材には前記蓋に掛かる力と反対方向に力が作用するように、前記蓋と前記支持部材とを連結されていることを特徴とする、請求項８に記載のテーブル。
【請求項１０】
前記蓋が開けられた状態では、前記支持部材は支点を通る略鉛直線上もしくはそれを越えて摺動が終端において規制されることを特徴とする、請求項８または請求項９に記載のテーブル。
【発明の詳細な説明】
【技術分野】
【０００１】
本発明は、収納部を備えるテーブルに関し、より特定的には、昇降機構を備えて収納部を昇降可能とするテーブルに関する。
【背景技術】
【０００２】
一般的に、ノート型パーソナルコンピュータ（以下、ノート型パソコン）等を使用する際には、テーブルの天板上に載置した状態で使用することが多い。一方、ノート型パソコンの使用が終了した際には、そのテーブルの収納部に収納可能であると便利である。
【０００３】
使用者は、収納部に収納されているノート型パソコンを取り出し、テーブルの天板上に載置した状態で使用し、使用を終了して収納する際には、テーブルの天板上を整理し、電源コード等の配線を整理した上で、別途、扉や引き出し等を開けて収納部に収納することになる。
【０００４】
このように、使用者にとって、ノート型パソコンを使用／収納する度に、ノート型パソコンを収納部から取り出したり、収納部に収納したりすることは面倒である。また、場合によっては、使用状態のまま、テーブルの天板上に放置されることもある。
【０００５】
そこで、収納部の蓋をテーブルの天板として用いるとともに、当該蓋を開閉することに応じて収納部（底板）が昇降するテーブルが提案されている（例えば、特許文献１参照）。
【０００６】
図１０は、従来のパソコン収納机１０において蓋が開けられた状態を示す側面図である。図１０において、パソコン収納机１０は、蓋１１と、天板１２と、昇降板１３と、リフト手段１４とを含む。昇降板１３の上にはノート型パソコン２０が載置されている。
【０００７】
蓋１１は回動可能であって、蓋１１が閉じられた状態では、蓋１１の水平位置は天板１２と略同一となり、当該蓋１１とリフト手段１４によって下降した昇降板１３との間にノート型パソコン２０を収納するための収納スペースが形成される。
【０００８】
図１１は、従来のパソコン収納机１０において蓋が開けられた状態を示す斜視図である。図１１において、パソコン収納机１０は、開口領域Ａから昇降板１３が露出することによって天板１２と略同一面を形成している。さらに、パソコン収納机１０は、蓋１１から両側に資料立て１５を展開している。
【０００９】
以上のように、従来のパソコン収納机１０によれば、使用者は、資料立て１５に立て掛けられた資料を見ながら、パソコン収納机１０に載置されたノート型パソコン２０を操作できるため、入力作業の効率化が図れる。
【先行技術文献】
【特許文献】
【００１０】
【特許文献１】特開２００３−２３０４３２号公報
【発明の概要】
【発明が解決しようとする課題】
【００１１】
しかしながら、特許文献１に記載のパソコン収納机１０では、蓋１１が開けられた状態で使用者がノート型パソコン２０を操作する際に、使用者は正面向こう側を蓋１１で遮られているため、向こう側が見渡せず、さらには蓋１１により圧迫感さえ感じる場合もある。
【００１２】
また、例えば、パソコン収納机１０を教育現場における教室の教師（講師）席、授業を行う教師（講師）や発表者の近傍、もしくはプレゼンテーション会場における司会者席や発表者近傍に設置されて使用する場合、蓋１１によって、黒板、ホワイトボードやスクリーンの一部が遮られて、生徒、受講者や聴衆は、黒板、ホワイトボードやスクリーンに表示された内容が見え難いという問題があった。
【００１３】
その際、蓋１１を閉じてしまえば、リフト手段１４によって当該蓋１１に連動して昇降板１３が下降するため、教師（講師）、発表者や司会者は、昇降板１３の上に載置されているノート型パソコン２０を操作できない。
【００１４】
それ故に、本発明は、上記のような課題に鑑みてなされたものであって、本発明の目的の１つは、蓋の開閉に応じて昇降板が昇降するとともに、蓋が開けられた際に昇降板の位置を維持しつつ当該蓋を収納可能とするテーブルを提供することである。
【課題を解決するための手段】
【００１５】
上記目的を達成するために、本発明は、少なくとも以下のような構成を備え、もしくは手順を実行する。なお、以下の説明において、本発明の理解を容易にするために図面に示されている符号等を付記する場合があるが、本発明の各構成要素は、図面に示されているものに限定されるものではなく、当業者が技術的に理解しうる範囲にまで広く解釈されるべきものである。
【００１６】
本発明の一局面におけるテーブル（１００）は、回動式の蓋（１１０）と、蓋が開けられることに応じて昇降板（１２０）を上昇させ、蓋が閉じられることに応じて当該昇降板を下降させる昇降手段（１４０）と、蓋が閉じられた状態で蓋と昇降板との間に形成される収納部（１３０）と、蓋が開けられた状態で昇降板の位置を維持しつつ、当該蓋の全部もしくは一部が当該テーブルの天板位置よりも下方に収納される蓋収納手段と、を備える。
かかる構成により、本発明の一局面におけるテーブルは、蓋の開閉に応じて昇降板が昇降するとともに、蓋が開けられた際に昇降板の位置を維持しつつ当該蓋を収納可能とすることができる。
【００１７】
また、好ましくは、蓋収納手段は、蓋が開けられた状態から当該蓋を略鉛直方向にスライド移動可能とする。
かかる構成により、本発明の一局面におけるテーブルは、蓋が開けられた後、容易に蓋の全部もしくは一部を当該テーブルの天板位置よりも下方に収納することができる。
【００１８】
また、好ましくは、蓋収納手段は、蓋に連結され、略鉛直方向に配置されたガイドレール（１６０）に沿ってスライド可能なガイド手段（１５０）を含む。
かかる構成により、本発明の一局面におけるテーブルは、蓋に連結されたガイド手段が略鉛直方向に配置されたガイドレールに沿ってスライドするため、蓋をスムーズに略鉛直方向に移動できる。
【００１９】
また、好ましくは、昇降手段は、昇降板を支持する支持部材（１４２、１４３）と、蓋が開閉されることに応じて昇降板を昇降させるように、蓋と支持部材とを連結する連結部材（１４４、１４５）と、を含み、連結部材は、一端が支持部材における支点で回動可能に固定され、他端が蓋に沿って摺動可能である。
かかる構成により、本発明の一局面におけるテーブルは、連結部材は、一端が支持部材における支点で回動可能に固定され、他端が蓋に沿って摺動可能であるため、蓋の開閉に応じて昇降板が昇降するとともに、蓋が開けられた際に昇降板の位置を維持しつつ当該蓋をスムーズに略鉛直方向に移動でき、使用者にとって利便性が向上する。
【００２０】
また、好ましくは、昇降手段は、蓋が開けられた状態では昇降板の下降を抑止する。
かかる構成により、本発明の一局面におけるテーブルは、昇降手段によって蓋が開けられた状態では昇降板の下降を抑止するため、使用者は昇降板の上で作業し易い。
【００２１】
また、好ましくは、本発明の一局面におけるテーブルは、ガイド手段に略鉛直上向きに所定の荷重を掛ける定荷重バネを、さらに備える。
かかる構成により、本発明の一局面におけるテーブルは、定荷重バネによってガイド手段に略鉛直上向きに所定の荷重を掛けているため、たとえ重量のある蓋であったとしても蓋をスムーズに略鉛直上向きに移動できる。
【００２２】
また、好ましくは、本発明の一局面におけるテーブルは、蓋が略鉛直下方にスライド移動した後、当該位置を保持するために、ガイド手段と当該テーブルとを連結するプッシュラッチを、さらに備える。
かかる構成により、本発明の一局面におけるテーブルは、プッシュラッチによってガイド手段と当該テーブルとを連結しているため、蓋が略鉛直下方にスライド移動した後、当該位置で蓋が保持される。
【００２３】
また、好ましくは、昇降手段は、昇降板と略平行に配置された基台（１４１）を含み、
支持部材は、一端が昇降板および基台のいずれか一方における支点で回転可能に固定され、他端が他方に沿って摺動可能であり、蓋が開けられることに応じて、支持部材は起立するように連動する。
かかる構成により、本発明の一局面におけるテーブルは、蓋が開けられることに応じて、支持部材は起立するように連動するため、簡素な機構で昇降板がスムーズに上昇し、使用者にとって利便性が向上する。
【００２４】
また、好ましくは、連結部材は、蓋が開閉されることに応じて、支持部材には蓋に掛かる力と反対方向に力が作用するように、蓋と支持部材とを連結されている。
かかる構成により、本発明の一局面におけるテーブルは、蓋と支持部材とを連結する連結部材によって、蓋が開閉されることに応じて、支持部材には蓋に掛かる力と反対方向に力が作用するように構成されているため、簡素な機構で昇降板がスムーズに昇降し、使用者にとって利便性が向上する。
【００２５】
また、好ましくは、蓋が開けられた状態では、支持部材は支点を通る略鉛直線上もしくはそれを越えて摺動が終端において規制される。
かかる構成により、本発明の一局面におけるテーブルは、支持部材の摺動が支点を通る略鉛直線上もしくはそれを越えて終端で規制されるため、蓋が開けられた状態で昇降板に下向きの強い力が加わったとしても、昇降板の下降を確実に抑止することができる。
【発明の効果】
【００２６】
以上のように、本発明によれば、蓋の開閉に応じて昇降板が昇降するとともに、蓋が開けられた際に昇降板の位置を維持しつつ当該蓋を収納可能とするテーブルを実現できる。
【図面の簡単な説明】
【００２７】
【図１】本発明の一実施形態に係るテーブル１００において蓋が閉じられた状態を示す斜視図である。
【図２】本発明の一実施形態に係るテーブル１００において蓋が開けられた状態を示す斜視図である。
【図３】本発明の一実施形態に係るテーブル１００において蓋が開けられた状態から下方にスライドして収納された状態を示す斜視図である。
【図４】本発明の一実施形態に係るテーブル１００において蓋が開けられた状態を示す背面図である。
【図５】本発明の一実施形態に係るテーブル１００において蓋が開けられた状態から下方にスライドして収納された状態を示す背面図である。
【図６】本発明の一実施形態に係るテーブル１００において蓋が閉じられた状態を示す側面図である。
【図７】本発明の一実施形態に係るテーブル１００において蓋が開けられた状態を示す側面図である。
【図８】本発明の一実施形態に係るテーブル１００において蓋が開けられた状態から下方にスライドして収納された状態を示す側面図である。
【図９】本発明の一実施形態に係るテーブル１００において蓋が開けられた状態および蓋が収納された状態で支持部材が起立している内部構造を示す拡大図である。
【図１０】従来のパソコン収納机１０において蓋が開けられた状態を示す側面図である。
【図１１】従来のパソコン収納机１０において蓋が開けられた状態を示す斜視図である。
【発明を実施するための形態】
【００２８】
以下、本発明の各実施形態について、図面を参照しながら具体的に説明する。なお、以下で説明する実施形態は、あくまで、本発明を実施するための具体的な一例を挙げるものであって、本発明を限定的に解釈させるものではない。
【００２９】
＜一実施形態＞
図１は、本発明の一実施形態に係るテーブル１００において蓋が閉じられた状態を示す斜視図である。図１において、テーブル１００は、蓋１１０と、昇降板１２０と、収納部１３０とを備える。
【００３０】
図２は、本発明の一実施形態に係るテーブル１００において蓋が開けられた状態を示す斜視図である。図２において、テーブル１００は、図１に示した蓋１１０が閉じられた状態から蓋１１０が回動軸を中心にして回動されることにより、蓋１１０が開けられた状態になっている。
【００３１】
なお、昇降板１２０は、実際は、テーブル１００の内部に構成されており外部から見えない部分もあるが、ここでは、テーブル１００の特徴を説明する都合上、図１においてテーブル１００の内部の構造を理解し易いように記載している。また、昇降板１２０を昇降させるための昇降手段（図示せず）がテーブル１００の内部に構成されている。
【００３２】
また、本実施形態では、テーブル１００は教室に設置され、授業の際に使用されるノート型パソコン（図示せず）が昇降板１２０の上に載置されており、テーブル１００の収納部１３０に収納されているものとする。
【００３３】
蓋１１０は、テーブル１００の本体上部に設置されており、閉じられている状態ではテーブル１００の天板として使用することもできる。蓋１１０は、天板の一辺に沿った回動軸を中心に回動することによって開閉するように構成されている。
【００３４】
昇降板１２０は、蓋１１０が開けられることに応じて上昇し、蓋１１０が閉じられることに応じて下降する。蓋１１０が開けられた状態では、昇降板１２０はテーブル１００の上部位置まで上昇して、テーブル１００の天板として使用することができる。一方、蓋１１０が閉じられた状態では、昇降板１２０は下降して、テーブル１００の内部において蓋１１０と昇降板１２０との間に収納部１３０が形成される。
【００３５】
テーブル１００の内部に構成された昇降手段は、蓋１１０の回動に応じて昇降板１２０を昇降させるとともに、蓋１１０が開けられた状態では、昇降板１２０に下向きの力が加えられたとしても簡単には下降しないように、昇降板１２０の下降を抑止するように構成されている。その詳細な仕組みについては後述する。
【００３６】
図３は、本発明の一実施形態に係るテーブル１００において蓋が開けられた状態から下方にスライドして収納された状態を示す斜視図である。図３において、テーブル１００は、図２に示した蓋１１０が開けられた状態から下方にスライド移動されることにより、蓋１１０がテーブル１００の背面側に収納された状態になっている。その際、昇降板１２０は下降せずにテーブル１００における天板位置を維持している。
【００３７】
図４は、本発明の一実施形態に係るテーブル１００において蓋が開けられた状態を示す背面図である。図４において、テーブル１００は、背面側にガイド板１５０とガイドレール１６０とを備え、当該ガイド板１５０にはプッシュラッチ１７０が配置されており、当該プッシュラッチ１７０を保持するプッシュラッチ受け１７１がテーブル１００の下部位置に設置されている。
【００３８】
ガイド板１５０は、テーブル１００の背面側に、上端部が概ねテーブル１００における天板位置で、蓋１１０の回動軸に沿って当該蓋１１０と連結されて配置されている。
【００３９】
ガイドレール１６０は、テーブル１００の背面側に、ガイド板１５０の幅に合わせてガイド板１５０の両側に略鉛直方向に配置されている。ガイド板１５０は、当該ガイドレール１６０に沿って摺動することにより、略鉛直方向にスライド移動可能となっている。さらには、ガイド板１５０が略鉛直方向にスライド移動することにより、ガイド板１５０に連結されている蓋１１０も略鉛直方向にスライド移動する。
【００４０】
プッシュラッチ１７０は、ガイド板１５０に配置されており、蓋１１０が略鉛直下方にスライド移動した後、テーブル１００の下部位置に配置されたプッシュラッチ受け１７１と嵌合するようになっている。これにより、略鉛直下方にスライド移動したガイド板１５０および蓋１１０は、当該位置で保持される。
【００４１】
図５は、本発明の一実施形態に係るテーブル１００において蓋が開けられた状態から下方にスライドして収納された状態を示す背面図である。図５において、テーブル１００は、図４に示した蓋１１０が開けられた状態から下方にスライド移動されることにより、蓋１１０がテーブル１００の背面側に収納された状態になっている。
【００４２】
テーブル１００の背面側で、ガイド板１５０は、当該ガイドレール１６０に沿って摺動することにより、テーブル１００の下部位置までスライド移動している。さらには、ガイド板１５０が略鉛直方向にスライド移動することにより、ガイド板１５０に連結されている蓋１１０も略鉛直方向にスライド移動し、蓋１１０のうちの一部がテーブル１００の天板位置よりも下方に位置して、テーブル１００の背面側に収納されている。
【００４３】
また、ガイド板１５０に配置されたプッシュラッチ１７０がテーブル１００の下部位置に配置されたプッシュラッチ受け１７１と嵌合することにより、ガイド板１５０および蓋１１０は、当該位置で保持されている。
【００４４】
なお、蓋１１０の略鉛直方向のスライド移動を補助するガイド手段は、板形状であるガイド板１５０としたが、これに限定されるものではなく、例えば、水平方向の棒形状であってもよいし、ガイドレール１６０に沿ってスライド移動可能な形状であれば、Ｈ形状、梯子形状やその他の形状であっても構わない。
【００４５】
ガイド板１５０の形状として鉛直方向の長さを小さくすれば、蓋１１０の略鉛直方向への稼働距離を大きくすることができ、蓋１１０の全部もしくは大部分がテーブル１００の天板位置よりも下方に位置して、テーブル１００の背面側に収納することができる。
【００４６】
また、ガイドレール１６０は、ガイド板１５０の幅に合わせてガイド板１５０の両側に配置していたが、これに限定されるものではなく、例えば、ガイド板１５０の中央部にガイドローラーを配置すれば、それに合わせてガイドレールも中央部に略鉛直方向に１つ配置すればよく、その他、ガイド板１５０が略鉛直方向にスライド移動可能な構成であれば、どのような構成であっても構わない。
【００４７】
続いて、本発明の一実施形態に係るテーブル１００において昇降板１２０を昇降させるための昇降手段について、詳細を説明する。なお、以下の説明において、図１〜図５を用いて上記で説明した昇降手段以外の構成については、図１〜図５で用いた同一の参照符号を付すことによって、詳細な説明は省略する。ここでは、主に、昇降手段の具体的な構成について説明する。
【００４８】
図６は、本発明の一実施形態に係るテーブル１００において蓋が閉じられた状態を示す側面図である。図６において、テーブル１００は、蓋１１０と、昇降板１２０と、収納部１３０と、昇降手段１４０と、ガイド板１５０と、ガイドレール１６０と、プッシュラッチ１７０と、プッシュラッチ受け１７１と、定荷重バネ１８０とを備える。さらに、昇降手段１４０は、基台１４１と、第１の支持部材１４２と、第２の支持部材１４３と、第１の連結部材１４４と、第２の連結部材１４５とを含んで構成されている。
【００４９】
基台１４１は、昇降板１２０と略平行に配置されており、テーブル１００の内部において水平に固定されている。
【００５０】
第１の支持部材１４２と第２の支持部材１４３とは、略平行に配置されている。第１の支持部材１４２および第２の支持部材１４３は、一端は、それぞれ基台１４１に固定された第１の支点Ｓ１および第２の支点Ｓ２を中心に回転可能に構成され、他端は、それぞれ昇降板１２０に沿って摺動可能に構成されている。
【００５１】
なお、第１の支持部材１４２および第２の支持部材１４３が昇降板１２０に沿って摺動可能な構成としては、例えば、昇降板１２０にガイドレールを配置し、当該ガイドレールに沿って、第１の支持部材１４２および第２の支持部材１４３の他端に備えつけられたガイドローラーが摺動する構成が考えられる。
【００５２】
また、第１の支持部材１４２と第２の支持部材１４３とが略平行状態を保持したまま昇降板１２０に沿って摺動するように、略水平方向に延びる補助支持部材によって第１の支持部材１４２と第２の支持部材１４３とを連結しても構わない。なお、補助支持部材は、第１の支持部材１４２および第２の支持部材１４３の中央部もしくは中央部よりも上方であることが好ましい。
【００５３】
蓋１１０が閉じられた状態では、第１の支持部材１４２および第２の支持部材１４３が所定の角度を有して傾倒しており、第１の支持部材１４２および第２の支持部材１４３は、それ以上傾倒する方向へ摺動しないように摺動機構の終端が構成されている。具体的には、第２の支持部材１４３のガイドローラーが昇降板１２０のガイドレールの終端に当接するか、もしくは図６に示すようにテーブル１００の側壁面に当接するように構成されればよい。
【００５４】
これにより、昇降板１２０に載置され、収納部１３０に収納されているノード型パソコンの重量が大きかったとしても、昇降板１２０は、それ以上、下降することはなく安定する。
【００５５】
次に、蓋１１０を開けようとした場合、第１の連結部材１４４および第２の連結部材１４５の作用について説明する。
【００５６】
第１の連結部材１４４は、一端は第１の支持部材１４２に固定された第３の支点Ｓ３を中心に回転可能に接続されており、第２の連結部材１４５は、一端は蓋１１０に直接的もしくは間接的に当接して、蓋１１０に沿って摺動可能なように構成されている。第１の連結部材１４４および第２の連結部材１４５の他端は、蓋１１０の回動軸側の第４の支点Ｓ４で互いに接続角度が変化可能に接続されている。さらに、第２の連結部材１４５は、蓋１１０に当接する一端と第４の支点Ｓ４との間で、昇降板１２０に固定された第５の支点Ｓ５を基点に回転可能な構成となっている。
【００５７】
そこで、蓋１１０を開けようとした場合、第２の連結部材１４５には、昇降板１２０に固定された第５の支点Ｓ５を基点に時計回りに回転する力が働く。
【００５８】
換言すれば、第２の連結部材１４５の一端は、蓋１１０に沿って蓋１１０の回動軸側方向に摺動し、他端は、第４の支点Ｓ４において蓋１１０の回動軸側方向とは反対の方向に力が働く。これにより、第１の連結部材１４４の一端である第３の支点Ｓ３において、第１の支持部材１４２が起立するように作用し、同時に第２の支持部材１４３も起立するように作用する。
【００５９】
図７は、本発明の一実施形態に係るテーブル１００において蓋が開けられた状態を示す側面図である。図７において、テーブル１００は、蓋１１０が開かれた状態であって、第１の支持部材１４２および第２の支持部材１４３が略鉛直方向に起立することによって、昇降板１２０は上昇してテーブル１００の天板として使用できるようになっている。
【００６０】
図６で説明したように、蓋１１０が閉じられている状態から開けようとした場合、第１の支持部材１４２および第２の支持部材１４３が起立するように作用し、蓋１１０が完全に開かれた状態になると、昇降板１２０がテーブル１００の天板の位置まで上昇する。
【００６１】
ここで、蓋１１０が完全に開けられた状態では、第１の支持部材１４２および第２の支持部材１４３は、略鉛直方向もしくは蓋１１０の回動軸とは反対方向に傾倒して起立している。第１の支持部材１４２および第２の支持部材１４３は、蓋１１０の回動軸とは反対方向にそれ以上摺動しないように、例えば、昇降板１２０に沿って構成されたガイドレールの終端もしくは図７に示すようにテーブル１００の側壁面に、第１の支持部材１４２のガイドローラーが当接していればよい。
【００６２】
図８は、本発明の一実施形態に係るテーブル１００において蓋が開けられた状態から下方にスライドした状態を示す側面図である。図８において、テーブル１００は、図７に示した蓋１１０が開けられた状態から、蓋１１０と連結されたガイド板１５０が略鉛直下向きにスライド移動することにより、蓋１１０がテーブル１００の背面側に収納された状態になっている。
【００６３】
具体的には、ガイド板１５０は、テーブル１００の本体（側壁）に配置されたガイドレール１６０に沿ってスライドすることによって、図７で示した蓋１１０が開いている状態から、図８で示したテーブル１００の下位位置まで、略鉛直下向きに移動する。これに伴い、当該ガイド板１５０に連結されている蓋１１０も略鉛直下向きに移動できるように構成されている。
【００６４】
この際、蓋１１０は、第２の連結部材１４５の一端において直接的もしくは間接的に当接して摺動可能であって、第２の連結部材１４５は、蓋１１０が略鉛直下向きに移動することに伴って第１の支持部材１４２に影響を与えないように構成されている。換言すると、蓋１１０が略鉛直下向きに移動する際に、それに連動して昇降板１２０が下降しないように構成されている。
【００６５】
なお、ガイド板１５０が図８で示したテーブル１００の下位位置までスライド移動した際に、ガイド板１５０に配置されているプッシュラッチ１７０は、テーブル１００の下部位置に配置されたプッシュラッチ受け１７１と嵌合する。これにより、略鉛直下方にスライド移動したガイド板１５０および蓋１１０は、当該位置で保持される。また、ガイド板１５０および蓋１１０を上方に移動させる際は、スムーズに移動可能となっている。
【００６６】
また、ガイド板１５０は、定荷重バネ１８０を用いて保持されていても構わない。これにより、蓋１１０が開けられた状態からガイド板１５０および蓋１１０を略鉛直下向きに移動する際に、それらの重さによって急に下向きに移動することを防止することができる。また、図８で示したテーブル１００の下位位置から、ガイド板１５０および蓋１１０を上昇させて、その後、蓋１１０を閉じようとする場合には、定荷重バネ１８０を用いていると、上方にガイド板１５０および蓋１１０を移動させるための補助となる。
【００６７】
また、ガイド板１５０の下部にはゴムクッションを配置していても構わない。これにより、ガイド板１５０が図８で示したテーブル１００の下位位置まで移動した際の衝撃が緩和できる。
【００６８】
次に、テーブル１００において蓋１１０が開けられた状態、および蓋１１０が開けられた状態から下方にスライドして収納された状態で、昇降板１２０は下降せずにテーブル１００における天板位置を維持するとともに、昇降板１２０に下向きの力が加えられたとしても簡単には下降しないように構成されていることについて、その仕組みをより具体的に詳しく説明する。
【００６９】
図９は、本発明の一実施形態に係るテーブル１００において蓋が開けられた状態で支持部材が起立している内部構造を示す拡大図である。図９において、第１の支点Ｓ１を通る鉛直方向の基準線Ｌ１および第２の支点Ｓ２を通る鉛直方向の基準線Ｌ２と、第１の支持部材１４２および第２の支持部材１４３とをそれぞれ比較する。
【００７０】
第１の支持部材１４２および第２の支持部材１４３は、蓋１１０が閉じられた状態では、図６に示すように所定の角度を有して傾倒していた。そして、蓋１１０を開けようとすると、図９を用いて説明すると、第１の支持部材１４２および第２の支持部材１４３は、それぞれ第１の支点Ｓ１および第２の支点Ｓ２を中心に、反時計回りに回動し、最終的には、昇降板１２０に沿って摺動する第１の支持部材１４２のガイドローラーがテーブル１００の側壁面に当接することによって停止する。
【００７１】
蓋１１０が開かれた状態では、第１の支持部材１４２および第２の支持部材１４３は、少なくともそれぞれ基準線Ｌ１および基準線Ｌ２に沿った位置（昇降板１２０に対して９０度）で、もしくは図９に示すように基準線Ｌ１および基準線Ｌ２を越えた位置で、昇降板１２０に沿った摺動が規制され、第１の支点Ｓ１および第２の支点Ｓ２を中心とする反時計回りの回転が規制されるように構成されている。
【００７２】
さらに、ガイド板１５０および蓋１１０が図８に示したテーブル１００の下位位置までスライド移動する際には、上述したように、蓋１１０が第２の連結部材１４５の一端において直接的もしくは間接的に当接して摺動する。このため、スライド移動する際およびスライド移動した後、第１の支持部材１４２および第２の支持部材１４３に影響はなく、図９に示した状態が維持される。
【００７３】
これにより、蓋１１０が開かれた状態、および蓋１１０が開けられた状態から下方にスライドして収納された状態で、昇降板１２０は、下降せずにテーブル１００における天板位置を維持するとともに、昇降板１２０に下向きの力が加えられたとしても簡単には下降しないように構成されている。
【００７４】
以上のように、本発明の一実施形態に係るテーブル１００によれば、蓋１１０の開閉に応じて昇降板１２０が昇降するとともに、蓋１１０が開けられた際に昇降板１２０の位置を維持しつつ当該蓋１１０を収納することができる。
【００７５】
このように、蓋１１０が開けられた後、略鉛直下向きに移動しておけば、使用者がテーブル１００において作業をする際に、向こう側が見渡せて、圧迫感を感じさせるようなことから開放される。また、教室で授業を受ける生徒やプレゼンテーション会場での聴衆は、蓋１１０によって黒板、ホワイトボードやスクリーンの一部が遮られることなく、黒板、ホワイトボードやスクリーンに表示された内容が見え易くなる。
【００７６】
さらには、蓋１１０が開かれた状態、および蓋１１０が開けられた状態から下方にスライドして収納された状態で、昇降板１２０は、下降せずにテーブル１００における天板位置を維持するとともに、昇降板１２０に下向きの力が加えられたとしても簡単には下降しないため、使用者は、昇降板１２０をテーブル１００の天板として不自由なく使用することができる。また、蓋１１０が開かれた状態で昇降板１２０が下降することによって蓋１１０が連動し、使用者が意図しない、もしくは不意に、蓋１１０が閉じられるということも防止でき、使用者にとっては安全性が確保できる。
【００７７】
なお、本発明の一実施形態に係るテーブル１００では、第１の連結部材１４４および第２の連結部材１４５は、昇降板１２０の側面に固定された第５の支点Ｓ５を基点に回転可能に構成されている。本実施形態では、特に述べなかったが、連結部材（第１の連結部材１４４および第２の連結部材１４５）は、テーブル１００の両側に構成されていても構わないし、片側のみに構成されていても構わない。
【００７８】
連結部材が両側に構成される場合、蓋１１０を開閉する際に偏り生じ難くスムーズに開閉できる。連結部材が片側のみに構成される場合、蓋１１０が開かれた状態で昇降板１２０をテーブル１００の天板として使用する際に、連結部材を設置するための領域が片側だけであるため、作業スペースが広く確保できる。
【００７９】
なお、連結部材が片側のみに構成される場合であっても、支持部材（第１の支持部材１４２および第２の支持部材１４３）は、テーブル１００の両側に備えられていることが好ましい。この場合、両側に備えたれた支持部材は連動するように、例えば、それぞれの支持部材を接続する構成であればよく、これにより、昇降板１２０の昇降動作を両側において支持するため、昇降板１２０をよりスムーズに昇降させることができる。
【００８０】
また、上記本発明の一実施形態では、テーブル１００の蓋１１０が閉じられている状態から開けられる状態に変遷する様子を中心に説明し、さらに蓋１１０が下方にスライドする様子を説明した。逆に、図８で示したテーブル１００の下位位置から、ガイド板１５０および蓋１１０を上昇させて、その後、蓋１１０を閉じようとする場合については、メカニズム（作用）は、概ね逆になるだけであるため、詳細な具体例を挙げて説明することは省略する。
【００８１】
＜その他の実施形態＞
本発明の実施形態について、上述した一実施形態以外のその他の実施形態について、以下、その一部を説明する。
上記一実施形態では、ガイドレール１６０に沿ってガイド板１５０をスライド移動させることにより、ガイド板１５０に連結されている蓋１１０をテーブル１００の背面側に収納する構成としたが、蓋１１０をテーブル１００の背面側に収納する構成としては、これに限定されるものではない。
【００８２】
例えば、蓋１１０を開閉する際に軸となる回動軸を中心に、蓋１１０が閉じられた状態から２７０度回転させることにより、蓋１１０をテーブル１００の背面側に収納する構成としても構わない。この場合、蓋１１０がテーブル１００の背面側に収納された状態で、昇降板１２０が下降せずにテーブル１００における天板位置を維持する手段として、例えば、コイルバネ等の弾性部材を用いて、その弾性力を利用すればよい。
【００８３】
蓋１１０の開閉に応じて昇降板１２０が昇降するようにし、蓋１１０がテーブル１００の背面側に収納された状態では、蓋１１０が閉じようとする方向とは反対の方向に働く弾性力（付勢力）によって昇降板１２０をテーブル１００の天板位置に維持するようにバランスが取れるようにすればよい。
【００８４】
また、上記一実施形態では、昇降板１２０を昇降させる昇降手段として、昇降板１２０にガイドレールを配置する構成としたが、基台１４１にガイドレールを配置する構成であっても構わない。この場合、第１の支持部材１４２および第２の支持部材１４３は、一端は、それぞれ昇降板１２０対して固定された第１の支点および第２の支点を中心に回転可能に構成され、他端は、それぞれ基台１４１に沿って摺動可能に構成される。
【００８５】
さらには、昇降板１２０を昇降させる昇降手段としては、略平行に配置された第１の支持部材１４２および第２の支持部材１４３を用いるものに限らず、例えば、第１の支持部材１４２および第２の支持部材１４３を互いに中央部において連結させるクロスリンクとしても構わない。この場合、一方は、両端が回転および摺動自在に構成され、その他、昇降板１２０がテーブル１００の天板位置まで上昇した際に、当該位置を維持するための機構を備えてもよい。天板位置を維持する機構としては、コイルバネ等の弾性部材を用いて、その弾性力を利用しても構わないし、別途、ロック機構を設けても構わない。
【００８６】
なお、上記一実施形態では、テーブル１００は教室に設置され、授業の際に使用するノート型パソコンがテーブル１００の収納部１３０に収納されているものとしたが、テーブル１００の使用する状況は、これに限定されるものではない。
【００８７】
例えば、テーブル１００は、教育現場における教室の教師（講師）席、授業を行う教師（講師）や発表者の近傍、もしくはプレゼンテーション会場における司会者席や発表者近傍に設置されてもよい。テーブル１００の収納部１３０に、当該授業やプレゼンテーションの際に用いられるノート型パソコンを収納していれば、準備や収納が効率よく行うことができる。また、最近では、電子黒板を用いて授業することがあり、その場合、当該システムに用いられるノート型パソコンを収納しておくと便利である。
【００８８】
また、テーブル１００の収納部１３０に収納するものは、ノート型パソコンに限定されるものではない。教室やプレゼンテーション会場等、テーブル１００が設置される環境に応じて、例えば、タブレット、プロジェクタ、筆記用具、テキスト、教科書、資料、その他収納部１３０に収納可能なものであれば何でも構わない。
【００８９】
さらに、テーブルの上に煩雑になりがちな電源コードも収納しておいても構わないし、当該電源コードは、ノート型パソコンに繋がれて配線された状態でテーブル１００の蓋１１０の開閉を可能とする構成であると良い。これにより、使用者は、使用および収納する都度、電源コード等の配線準備／収納をしなくても良く、利便性が向上する。
【００９０】
さらに、収納部１３０に収納されたものに対する盗難対策として、蓋１１０を閉じた状態で施錠する構成であっても構わない。
【００９１】
以上、本発明の各実施形態についての具体的な説明を行った。上記説明は、あくまで一実施形態としての説明であって、本発明の範囲はこの一実施形態に留まらず、当業者が把握可能な範囲にまで広く解釈されるものである。
【産業上の利用可能性】
【００９２】
本発明は、収納部を備えるテーブル等に利用可能である。
【符号の説明】
【００９３】
１００  テーブル
１１０  蓋
１２０  昇降板
１３０  収納部
１４０  昇降手段
１４１  基台
１４２、１４３  支持部材
１４４、１４５  連結部材
１５０  ガイド板
１６０  ガイドレール
１７０  プッシュラッチ
１７１  プッシュラッチ受け
１８０  定荷重バネ
Ｓ１、Ｓ２、Ｓ３、Ｓ４、Ｓ５  支点
Ｌ１、Ｌ２  基準線
１０  パソコン収納机
１１  蓋
１２  天板
１３  昇降板
１４  リフト手段
１５  資料立て
２０  ノート型パソコン
Ａ    開口領域
【図１】
2016221138.tif 000003
【図２】
2016221138.tif 000004
【図３】
2016221138.tif 000005
【図４】
2016221138.tif 000006
【図５】
2016221138.tif 000007
【図６】
2016221138.tif 000008
【図７】
2016221138.tif 000009
【図８】
2016221138.tif 000010
【図９】
2016221138.tif 000011
【図１０】
2016221138.tif 000012
【図１１】
2016221138.tif 000013